(57)【要約】【課題】  カラーファクシミリ送信しようとする場合、事情に応じ、カラー送信を制限し得るカラー通信端末装置を提供する。【解決手段】  原稿をセットし（ステップＳＴ１）、相手先のＦＡＸ番号を入力し（ステップＳＴ２）、スタートキー８ａを操作して原稿を読み取る（ステップＳＴ３、ＳＴ４）。カラーＦＡＸモードが設定されている場合に（ステップＳＴ５）、符号化後の送信すべき画像データ量が閾値より大きいか否か判定する（ステップＳＴ６）。送信すべき画像データ量が閾値より大なる場合には、カラーファクシミリ送信中止を表示するとともに、相手先への送信を中止する（ステップＳＴ７）。閾値より小さい場合は、その画像データをカラーファクシミリ送信する（ステップＳＴ８）。【選択図】      図２
2005110074.tif 000002
【特許請求の範囲】
【請求項１】
モノクロ画像の他に、カラー画像も伝送可能なカラー通信端末装置において、  画像データを送信する場合に、送信画像データのデータ量が所定値以上であるか否かを判定する手段と、
データ量が所定値以上の場合に、カラーファクシミリをエラー処理する手段と、
を備えたことを特徴とするカラー通信端末装置。
【請求項２】
前記エラー処理手段は、カラー画像の送信を禁止するものであることを特徴とするカラー通信端末装置。
【請求項３】
前記エラー処理手段は、モノクロ送信を選択するか否かを報知する報知手段を含み、モノクロ送信の選択入力に応答して、送信画像データをモノクロで送信することを特徴とする請求項１又は請求項２記載のカラー通信端末装置。
【請求項４】
モノクロ画像の他に、カラー画像も伝送可能なカラー通信端末装置において、  カラーファクシミリの禁止を設定する手段と、
カラーファクシミリ通信を行う際に、前記カラーファクシミリ通信禁止設定手段の設定がなされているとカラー画像の送信を禁止する手段と、
を備えたことを特徴とするカラー通信端末装置。
【発明の詳細な説明】
【技術分野】
【０００１】
この発明は、カラー通信機能を有するファクシミリ装置、複合機等のカラー通信端末装置に関する。
【背景技術】
【０００２】
近年、読み取ったカラー原稿画像や、ＰＣ等から入力されたカラー画像を、相手先に公衆回線を介してファクシミリ送信するカラー通信端末装置が広く知られている（例えば特許文献１、特許文献２参照）。
【特許文献１】特開平７−９９５８４号公報
【特許文献２】特開２００１−１８６３６１号公報
【発明の開示】
【発明が解決しようとする課題】
【０００３】
ファクシミリ送信により、送信するデータ量を考えると、カラー画像はＲＧＢ、Ｌａｂ、Ｙｃｃ等の複数の系、つまり色空間で構成され、その上画像データは多値データであるから、同じ頁数のデータであっても、モノクロの場合に比し、データ量がはるかに大となる。そのため、多量のカラー画像データをファクシミリ送信すると、通信時間が長くなり、膨大な通信費を要することもあり得る。一方、いかなる原稿でも、常にカラーで伝送せねばならぬということではなく、モノクロで送信したり、原稿の一部のみで足りる場合もある。
【０００４】
この発明は上記問題点に着目してなされたものであって、カラーファクシミリ送信しようとする場合に、事情に応じ、カラー送信を制限し得るカラー通信端末装置を提供することを目的としている。
【課題を解決するための手段】
【０００５】
この発明のカラー通信端末装置は、モノクロ画像の他に、カラー画像も伝送可能なカラー通信端末装置において、画像データを送信する場合に、送信画像データのデータ量が所定値以上であるか否かを判定する手段と、データ量が所定値以上の場合に、カラーファクシミリをエラー処理する手段とを備えている。
【０００６】
また、この発明のカラー通信端末装置では、前記エラー処理手段は、例えばカラー画像の送信を禁止するものである。
【０００７】
また、この発明のカラー通信端末装置では、前記エラー処理手段はモノクロ送信を選択するか否かを報知（表示）する手段を含み、モノクロ送信の選択入力に応答して、送信画像データをモノクロで送信するようにしても良い。
【０００８】
また、この発明のカラー通信端末装置は、モノクロ画像の他に、カラー画像も伝送可能なカラー通信端末装置において、カラーファクシミリの禁止を設定する手段と、カラーファクシミリ通信を行う際に、前記カラーファクシミリ通信禁止設定手段の設定がなされているとカラー画像の送信を禁止する手段とを備えている。
【発明の効果】
【０００９】
この発明によれば、送信すべきカラーデータ量が所定値（閾値）より大なる場合に、カラー送信を制限し、あるいは予めカラーＦＡＸ禁止を設定しておき、カラー送信を制限することができ、無意味にカラー送信データが多量となり、通信費が膨大となるのを防止できる。
【発明を実施するための最良の形態】
【００１０】
以下、実施の形態により、この発明をさらに詳細に説明する。図１は、この発明の実施形態であるカラー画像通信装置全体の概略構成を示すブロック図である。
【００１１】
この実施形態カラー画像通信装置は、ファクシミリ機能とコピー機能とを備えた、しかも画像としてモノクロの他、カラーも扱えるカラー複合機として構成したものである。このカラー複合機は、主制御部（ＣＰＵ）１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化：復号器：Ｃｏｄｅｒ  ａｎｄ  Ｄｅｃｏｄｅｒ）１１と、ＬＡＮＩ／Ｆ１２と、バス１３とを備えている。
【００１２】
主制御部（ＣＰＵ）１は、この装置を構成する各部を制御する。この制御には、モノクロ画像、又はカラー画像を相手機に送信し、あるいは相手機から受信する場合の制御が含まれる。ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。あるいは、これらに代えてＶ．３４に従って送信データの変調及び受信データの復調を行う。
【００１３】
ＲＯＭ４は、この装置を制御するためのプログラムを記憶する。ＲＡＭ５は、データ等を一時的に記憶する。画像メモリ６は、モノクロあるいはカラーの受信画像データや画像読取部９で読み取ったモノクロあるいはカラーの読み取り画像データを一時的に記憶する。
【００１４】
表示部（ＬＣＤ）７は、アイコン、キーボタンの表示や、データの送受信に必要なメッセージ内容等を表示する。操作部８は、スタートキー８ａ  、テンキー８ｂ、カラーＦＡＸ禁止キー８ｃの他、ワンタッチキー、登録キー、ＦＡＸモード・コピーモード・スキャナモード、あるいはカラーＦＡＸ／モノクロＦＡＸモード等の複数の動作モードについてのモード切り替えを行うための動作モード切替キー、その他のキーを有する。スタートキー８ａは、コピー等、種々の処理を開始させるのに操作するキーである。テンキー８ｂは、電話番号、ＦＡＸ番号、その他の数値を入力するときに使用される。カラーＦＡＸ禁止キー８ｃは、このキーを操作することによって、カラーＦＡＸ禁止を設定するキーである。
【００１５】
画像読取部９は、ＦＡＸ送信するときに、あるいはコピーするときに、原稿を光学的に走査して画像データを読み取る。この画像読取部９は、モノクロ画像とカラー画像とを読み取ることが可能である。画像記録部１０は、電子写真式のプリンタよりなり、受信画像データやコピー動作において、画像読取部９で読み取った原稿の画像データを記録紙上に記録する。この画像記録部１０は、カラープリントも可能である。
【００１６】
ＣＯＤＥＣ１１は、読み取った画像データを送信又は記憶するためにＭＨ、ＭＲ、ＫＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣよりファイル等のデータ転送の要求を受けると、ＲＡＭ５に記憶する画像データをＬＡＮＩ／Ｆ１２、ＬＡＮ１５を介して外部ＰＣに転送する。
【００１７】
この実施形態カラー複合機においては、カラー画像を他の機器（カラー複合機）に対し、ＮＣＵ２、ＭＯＤＥＭ３、公衆回線１４を介して送信することができる。また、逆に他の機器から公衆回線１４、ＮＣＵ２、ＭＯＤＥＭ３を介して、カラー画像を受信することができる。更に、他の機器（ＰＣ）から、ＬＡＮ１５、ＬＡＮＩ／Ｆ１２を介して、カラー画像の伝送を受け、またＬＡＮＩ／Ｆ１２、ＬＡＮ１５を介して、外部機器（ＰＣ）にカラー画像を送信することができる。
【００１８】
また、実施形態カラー複合機においては、カラー画像を送信する際に、そのカラー画像データのデータ量が所定の閾値より大きいか否かを判定する機能を有し、カラー画像データか所定の閾値より大きい場合には、カラー画像の送信を禁止し、エラー表示を行うことができる。また、この装置にはカラーＦＡＸ禁止キー８ｃを備えており、このカラーＦＡＸ禁止キー８ｃにより、カラーＦＡＸ禁止モードに設定しておけば、カラー画像データの外部への送信時にカラーファクシミリ処理を禁止することができる。
【００１９】
次に、図２に示すフロー図を参照して、この実施形態カラー複合機のファクシミリ送信処理動作を説明する。先ず、ステップＳＴ１において、ファクシミリ送信すべき原稿を画像読取部９の原稿載置部にセットする。次に、ステップＳＴ２へ移行する。ステップＳＴ２においては、操作部８より送信すべき相手先のＦＡＸ番号を入力する。ＦＡＸ番号の入力は、テンキー８ｂでフル番号を入力しても良いし、ワンタッチキー、短縮キーを操作しても良い。次に、ステップＳＴ３へ移行する。ステップＳＴ３においては、スタートキー８ａが操作されたか否か判定する。
【００２０】
ステップＳＴ３においては、オペレータがスタートキー８ａを操作すると、判定ＹＥＳとなり、ステップＳＴ４へ移行する。ステップＳＴ４においては、画像読取部９で原稿読み取りを行う。この原稿読み取りは、原稿がカラーの場合は、カラー読み取りがなされ、カラー画像データが画像メモリ６に記憶される。続いて、ステップＳＴ５へ移行する。
【００２１】
ステップＳＴ５においては、ファクシミリ送信すべき画像データがカラー（カラーＦＡＸ）であるか否か判定する。カラーＦＡＸか否かの判定は、操作部８のカラーＦＡＸ／モノクロＦＡＸのモード設定に基づいて行う。カラーＦＡＸである場合には、ステップＳＴ６へ移行する。一方、カラーＦＡＸでない場合は、ステップＳＴ８へ移行する。ステップＳＴ６においては、符号化後の画像データ、つまり画像メモリ６に記憶されている読取カラー画像データのデータ量が閾値より大きいか否か判定する。閾値は、１回のファクシミリ通信では、量が大き過ぎて好ましくないとする基準となる値であり、予め設定され、ＲＡＭ５に記憶されている。送信すべき画像データ量が閾値より大きい場合は、ステップＳＴ７へ移行する。一方、送信すべき画像データ量が閾値以下の場合には、ステップＳＴ８へ移行する。
【００２２】
ステップＳＴ７においては、ファクシミリ送信を中止するとともに、表示部７にエラー表示を行う。ステップＳＴ８は、ステップＳＴ５において、カラーＦＡＸでないと判定された場合、あるいはステップＳＴ６において、画像データ量が閾値以下であると判定された場合に至るステップであり、ステップＳＴ５において、カラーＦＡＸでないと判定された場合、ここでモノクロの画像データを相手先に送信する。また、ステップＳＴ６において、画像データ量が閾値以下であると判定された場合は、ここでカラー画像データを相手先に送信する。
【００２３】
他の実施例として、図２のフロー図のステップＳＴ６以下を、図３に示すフロー図のようにしても良い。この場合、ステップＳＴ６において、符号化後のデータが閾値より大なる場合は、ステップＳＴ９へ移行する。ステップＳＴ９においては、表示部７に“カラーＦＡＸは選択できません。モノクロで送信しますか”を表示する。そして、ステップＳＴ１０へ移行する。ステップＳＴ１０においては、モノクロ選択か否かを判定する。オペレータがモノクロ送信を選択した場合は、ステップＳＴ８へ移行し、モノクロで画像データを相手先にファクシミリ送信する。一方、モノクロ選択の操作がなされない場合は、カラーファクシミリ送信を禁止（カラーＦＡＸを無効とする）したままで、処理を終了する。
【００２４】
更に他の実施形態として、カラーＦＡＸ禁止キー８ｃを操作していない時は、読取画像データがモノクロであろうと、カラーであろうと、ファクシミリ送信し、カラーＦＡＸ禁止キー８ｃがＯＮされている場合は、カラー送信を禁止するようにしても良い。
【００２５】
この場合の送信処理動作を図４に示すフロー図を参照して説明する。ステップＳＴ１１からＳＴ１４までの原稿セットから、原稿読み取りまでの処理は、図２に示すステップＳＴ１〜ＳＴ４の処理と同様である。原稿読み取り後、ステップＳＴ１５へ移行する。ステップＳＴ１５においては、カラーＦＡＸか否か判定する。読取画像データがカラーの場合、つまりカラーＦＡＸの場合は、ステップＳＴ１６へ移行する。一方、カラーＦＡＸでない場合は、ステップＳＴ１８へ移行する。
【００２６】
ステップＳＴ１６においては、カラーＦＡＸ禁止が設定されているか否か判定する。カラーＦＡＸ禁止が設定されていない場合は、ステップＳＴ１７へ移行する。一方、カラーＦＡＸ禁止が設定されている場合は、ステップＳＴ１８へ移行する。ステップＳＴ１７においては、カラー画像データをファクシミリ送信する。ステップＳＴ１８においては、ステップＳＴ１５において、カラーＦＡＸ送信でないと判定された場合では、モノクロ画像をファクシミリ送信する。また、ステップＳＴ１６において、カラーＦＡＸ禁止が設定されていた場合には、このステップＳＴ１８において、カラー画像をモノクロ画像としてＦＡＸ送信する。
【００２７】
なお、図４に示す処理において、ステップＳＴ１６において、カラーＦＡＸ禁止の設定がなされている場合、ファクシミリ送信を中止し、エラー表示を行うようにしても良い。
【００２８】
また、上記実施形態において、画像読取部で読み取った原稿画像をファクシミリ送信する場合について説明したが、パーソナルコンピュータ（ＰＣ）、スキャナ装置等の外部機器から入力されたカラー画像データをファクシミリ送信する場合にも、この発明を適用することができる。
【図面の簡単な説明】
【００２９】
【図１】この発明が実施されるカラー複合機の概略構成を示すブロック図である。
【図２】同実施形態カラー複合機のファクシミリ送信処理を説明するフロー図である。
【図３】他の実施形態カラー複合機のファクシミリ送信処理を説明するフロー図である。
【図４】更に他の実施形態カラー複合機のファクシミリ送信処理例を説明するフロー図である。
【符号の説明】
【００３０】
１      主制御部（ＣＰＵ）
２      ＮＣＵ
３      ＭＯＤＥＭ
４      ＲＯＭ
５      ＲＡＭ
６      画像メモリ
７      表示部
８      操作部
８ａ    スタートキー
８ｂ    テンキー
８ｃ    カラーＦＡＸ禁止キー
９      画像読取部
１０    画像記録部
１１    ＣＯＤＥＣ
１２    ＬＡＮＩ／Ｆ
１３    バス
１４    公衆回線
１５    ＬＡＮ
【図１】
2005110074.tif 000003
【図２】
2005110074.tif 000004
【図３】
2005110074.tif 000005
【図４】
2005110074.tif 000006